Podtech/llm-jp-corpus-v4-ja_patent huggingface dataset:
(57)【要約】      （修正有）【課題】風呂蓋としての表装材に市販のシートや市販の浴槽湯面に浮かべる保温シートが使用でき湯の保温機能の選択範囲が広がる風呂蓋を提供する。【解決手段】風呂蓋周縁近部に風呂蓋としての外形を維持することを役割とするフレームを設置した風呂蓋であり、このフレームにシート表装材や浴槽湯面に浮かべる保温シート表装材の端部を挿入出来る表装材端部挿入用溝１−２が設けられている。【選択図】図４
0003219097.tif 000002
【実用新案登録請求の範囲】
【請求項１】
風呂蓋周縁近部に風呂蓋としての外形を維持することを役割とするフレームを設置した風呂蓋であり、このフレームにシート表装材や浴槽湯面に浮かべる保温シート表装材の端部を挿入出来る表装材端部挿入用溝を設けたことを特徴とした風呂蓋。
【考案の詳細な説明】
【技術分野】
【０００１】  本考案は、風呂蓋、とくに、複数枚を浴槽上に並列させて使用するいわゆる組合わせ式風呂蓋に関するものである。
【背景技術】
【０００２】  浴槽の上面を覆う浴槽蓋に関しては、これまでいろいろなタイプのものが開発されてきているが、その中の一つに２枚またはそれ以上に分割した板状の蓋本体を浴槽の上面で組み合わせて使用する組み合わせ蓋が知られている。【０００３】  図５図７は従来タイプの組み合わせ式浴槽蓋の一例でありその断面を図６図８に示す。風呂蓋の周縁近部に風呂蓋としての外形を維持することを役割とするフレーム１を設置し、フレーム１の内辺から内辺に補強材３を連結し、断熱性芯材５を設置後シート表装材７がフレーム１の上下面、外周面に固定され、このフレーム１にエッジプロテクター８をはめ込んで構成したものである。
【先行技術文献】
【特許文献】
【０００４】
【特許文献１】実願２０１５−００６２９３
【考案の概要】
【考案が解決しようとする課題】
【０００５】  近年、厚みが５ｍｍ前後の発泡シートにアルミ蒸着フィルムを構成した浴槽湯面に浮かべる保温シートが市販されている。【０００６】  風呂蓋の表装材として市販の浴槽湯面に浮かべる保温シートが設置出来れば市販の厚みが０．５ｍｍ以下のシートと厚みが５ｍｍ前後の市販の浴槽湯面に浮かべる保温シートを表装材として使用でき湯の保温機能の選択範囲が広がる風呂蓋の提案ができるが、市販の浴槽湯面に浮かべる保温シートの厚みや発泡倍率を限定しないで市販の浴槽湯面に浮かべる保温シートの端部をフレームとエッジプロテクターの間に挟み込むことが出来なかった。【０００７】  この課題を解決するために目的は、表装材として市販のシートや市販の浴槽湯面に浮かべる保温シートが厚みや発泡倍率を気にぜず設置できる風呂蓋構造を提供することにある。
【課題を解決するための手段】
【０００８】  上記目的を達成するために、蓋の周縁部に蓋としての外形を維持することを役割とするフレームを設置しフレーム表面裏面に表装材として使用できる市販のシートや市販の浴槽湯面に浮かべる保温シートを固定できる面を設置する。【０００９】  固定できる面の外側に市販のシートや市販の浴槽湯面に浮かべる保温シートの端部を挿入できる溝を設ける構成を採用する。【００１０】  フレームの断面形状としては重量が低減できるパイプ形状、Ｉ形状、コの字形が望ましい。【００１１】  フレームの材料としては、ステンレス、アルミ、硬質樹脂が使用可能である。【００１２】  補強材の断面形状はパイプ形状、Ｉ形状、コの字形が望ましい。【００１３】  補強材の材料としては、ステンレス、アルミ、硬質樹脂が使用可能である。【００１４】  表装材の固定方法としては接着貼り付け、粘着貼り付け、両面テープ貼り付けも採用可能である。
【考案の効果】
【００１５】  本考案の風呂蓋は、市販のシートや市販の浴槽湯面に浮かべる保温シートを風呂蓋の表装材として使用でき湯の保温機能の選択範囲が広がる風呂蓋の提案ができる。
【図面の簡単な説明】
【００１６】
【図１】本考案に係わる風呂蓋の一実施形態を示す斜視図である。
【図２】本考案に係わる風呂蓋の一実施形態を示す斜視分解図である。
【図３】図１内に示すＡ−Ａ断面図である。
【図４】図３に示すフレーム曲げ部材１ｂ単体図である。
【図５】従来風呂蓋の斜視破砕断面概略図である。
【図６】図５のＢ−Ｂ断面図である。
【図７】従来風呂蓋の斜視破砕断面概略図である。
【図８】図７のＣ−Ｃ断面図である。
【考案を実施するための形態】
【００１７】  以下、本考案を図示実施形態に基づいて説明する。
【００１８】  図２は、フレーム直部材１ａとフレーム曲げ部材１ｂをフレームジョイント２を用い勘合接着され、補強材３がフレーム曲げ部材１ｂの対辺に補強材ジョイント４を用い勘合接着され組み立てられる。
【００１９】  組み立てフレーム内面と補強材３内面間のサイズに切断した補強部材３厚みに近似値厚みの断熱性芯材５を組みこむ、このとき断熱性芯材５を使用しないこともある。
【００２０】  図３に示しているようにシート表装材７と保温シート表装材１０を接着剤、粘着剤、両面テープ等にて表装材固定面１−１に固定する。また、シート表装材７保温シート表装材１０と断熱性芯材５の合い面に接着剤や粘着剤を使用することもできる。
【００２１】  シート表装材７や保温シート表装材１０を表装材固定面１−１に固定後、両表装材端部を表装材端部挿入用溝に挿入する。
【００２２】  エッジプロテクター８をフレーム１の外周部にはめ込み固定した実施例である。
【符号の説明】
【００２３】    Ｆ      風呂蓋
１      フレーム
１−１  表装材固定面
１−２  表装材端部挿入用溝
１ａ    フレーム直部材
１ｂ    フレーム曲げ部材
２      フレームジョイント
３      補強材
４      補強材ジョイント
５      断熱性芯材
６      断熱性表装側芯材
７      シート表装材
８      エッジプロテクター
８ａ    エッジプロテクター硬質樹脂部
８ａ−１エッジプロテクター硬質樹脂部嵌込み部
８ｂ    エッジプロテクター軟質樹脂部
９      水抜き穴
１０    保温シート表装材
【図１】
0003219097.tif 000003
【図２】
0003219097.tif 000004
【図３】
0003219097.tif 000005
【図４】
0003219097.tif 000006
【図５】
0003219097.tif 000007
【図６】
0003219097.tif 000008
【図７】
0003219097.tif 000009
【図８】
0003219097.tif 000010
(57)【要約】      （修正有）【課題】従来のプラスチック製ストローに代わり麦本体の茎部の空洞を利用し、環境汚染防止を目的とした自然植物素材の麦わらストローを提供する。【解決手段】麦わらストローは、麦わら本体茎空洞部（体部１）を両切りし、差込口３・吸飲口２をつくり吸飲口２下にはプレス部４を設け、そこに紙巻テーピング５を施し、熱殺菌処理を行い、袋詰めする。【選択図】図１
0003219091.tif 000002
【実用新案登録請求の範囲】
【請求項１】
本考案麦わらストローにおいて、麦わら本体茎空洞部を両切りし、差込口・吸飲口をつくり吸飲口下にはプレス痕を設けそこに紙巻テーピングを施し熱殺菌処理を行い袋詰めとし汚染防止を目的としたストロー。
【考案の詳細な説明】
【技術分野】
【０００１】  本考案は、麦わらストローに関する。
【背景技術】
【０００２】  従来スーパー・コンビニ・飲食店等でのドリンクに使用されている大・小のストローは、殆どプラスチック製のものが使われていた。
【考案の概要】
【考案が解決しようとする課題】
【０００３】  しかしながら、従来のプラスチック製ストローは単に飲食時のみ利用し、後は使い捨てであり、深刻な陸・海洋汚染を引き起こし生態系への影響が心配されていた。
【課題を解決するための手段】
【０００４】  本考案は従来のプラスチック製ストローに代わり、麦本体の茎部の空洞を利用し、植物素材のストローを提供する。
【考案の効果】
【０００５】  本考案に係る麦わらストローは、植物素材を利用することにより使用後自然分解され、プラごみ汚染防止に対応することが可能となった。
【図面の簡単な説明】
【０００６】
【図１】  本考案に係る麦わらストローの斜視図である。
【考案を実施するための形態】
【０００７】  図１に示すように、麦わら本体茎空洞部の差込口をハスに切り、吸飲口を輪切りとし、その下にプレス痕を設けそこに紙巻テーピングを施し、また熱殺菌処理を行い、袋詰めする。
【符号の説明】
【０００８】  １  体部
２  吸飲口
３  差込口
４  プレス部
５  紙巻部テーピング
６  紙袋
【図１】
0003219091.tif 000003
(57)【要約】      （修正有）【課題】手軽に、安価で、だれでも、使いやすく、効果抜群の優れた、軽い袋状のナイロン靴を提供する。【解決手段】ワンタッチで口を縛る事により作り出すシワとナイロンの特性であるツルツルを利用して、歩く度動く度に靴に付いている土や泥を振るい落とす袋状のナイロン靴１であって、口を縛るためのワンタッチバンド２を設け、ワンタッチバンド２には、はずすときの持手３を設けた。【選択図】図２
0003219073.tif 000002
【実用新案登録請求の範囲】
【請求項１】
軽くて強度のあるナイロンを使いナイロンの特質であるツルツルとして物が付かない性質と、しわの出来るクチャクチャを利用して付いている土や泥を、動くたび、歩くたびに振るい落とす、軽くて土や泥の付かないナイロン靴（袋）
【考案の詳細な説明】
【技術分野】
【０００１】本考案は、雨降り後の畑や泥沼化した処で靴に土や泥、が付着せず足腰に負担を掛けない、軽いナイロン靴（袋）に関する。
【背景技術】
【０００２】従来雨降り後の畑仕事や泥沼化した処での仕事は靴に土や、泥、がくっついて、足腰をいためてしまう事が主流であった。
【考案の概要】
【考案が解決しようとする課題】
【０００３】しかしながら、靴には凹凸があり形状も堅く固定した格好で一度土や泥が付着すれば自動で落ちることがないので足腰をいためる欠点があつた。
【課題を解決するための手段】
【０００４】本考案は、軽い強度のあるナイロンを使用し袋状に靴を作りナイロンの特性である、物が付かないツルツルと、しわくちゃになる性質を逆手にとって、土や泥が付いても、しわのクチャクチャで、動くたび、歩くたびに自動的に土や泥がふるい落とされ、靴が軽くなり足腰への負担も軽減され上記課題を解決する
【考案の効果】
【０００５】本考案は、靴に、土や泥の付かない、強くて軽いナイロン靴（袋）を使用するため、作業効率も上り、足腰の負担も軽減され雨降り時の畑仕事や泥沼化した処での作業に抜群の効果を発揮する
【図面の簡単な説明】
【０００６】
【図１】本考案に係る平面図である。
【図２】本考案に係る装着図である。
【考案を実施するための形態】
【０００７】図１に示すように、ナイロンのツルツルと、しわしわになるナイロン靴（袋）（１）
図２  ナイロン靴を装着するワンタッチバンド（２）
【０００８】取り外しは、ワンタッチバンドで即座に出来る
【０００９】上記工程により完成した本考案のナイロン靴（袋）は従来考えられなかっナイロンの性質を逆利用することにより、靴に土や泥がまつわり付かない、足腰への負担が軽減が出来る
【符号の説明】
【００１０】１  ナイロン靴（袋）−袋状で靴底も無い
２  固定ワンタッチバンド
３  固定ワンタッチバンドをはずす時の持手
【図１】
0003219073.tif 000003
【図２】
0003219073.tif 000004
【手続補正書】
【提出日】平成30年9月10日(2018.9.10)
【手続補正１】
【補正対象書類名】実用新案登録請求の範囲
【補正対象項目名】全文
【補正方法】変更
【補正の内容】
【実用新案登録請求の範囲】
【請求項１】
袋状のナイロン靴をワンタッチで口を縛る事により作り出すシワとナイロンの特性であるツルツルを利用して歩く度動く度に靴に付いている土や泥を振るい落とす袋状のナイロン靴
(57)【要約】      （修正有）【課題】書物の外観を視認可能にしながら、書物を汚損から保護することができ、また、書物にカバーをかける際に、カバーの一部に負荷がかかっても、損傷しないブックカバーを提供する。【解決手段】プラスチックフィルム製のブックカバーであり、ポケット部２を有する第１端１、粘着部４を有する第２端３、および帯部５を備え、帯部がＣＰＰ製であり、第２端を折り返すと粘着部が帯部に粘着する。カバー本体には透明度の高い素材を用い、負荷のかかりやすい帯部には、負荷に強いＣＰＰを用いる。これにより、透明性を低下させずに、帯部が切れるのを防止することができる。【選択図】図１
0003219078.tif 000002
【実用新案登録請求の範囲】
【請求項１】
ポケット部を有する第１端、粘着部を有する第２端、および帯部を備え、
前記帯部がＣＰＰ製であり、
前記第２端を折り返すと前記粘着部が前記帯部に粘着する、
プラスチックフィルム製のブックカバー。
【請求項２】
帯電防止処理が施された、請求項１に記載のブックカバー。
【考案の詳細な説明】
【技術分野】
【０００１】  本考案は、書物を汚れや損傷から保護するためのブックカバーに関する。
【背景技術】
【０００２】  インターネットカフェや図書館などの施設では、書籍に透明なブックカバーを用いていることが多い。また、表紙が視認可能なこと、濡れにも耐えることなどの利点があり、個人の蔵書においても利用されることがある。【０００３】  特許文献１には、本の表紙の一方を差し込む袋部、表紙の他方に折り込まれて係合するフラップ、フラップの粘着部が貼り付けられる帯を備える、透明樹脂製の本のカバーが開示されている。しかし、このような構成では、本にカバーをかける際など、帯に負荷がかかったときに、帯が切れることがあるという問題があった。
【先行技術文献】
【特許文献１】公開特許公報平０７−２９０８５９号
【考案の概要】
【考案が解決しようとする課題】
【０００４】  特許文献１に記載の本のカバーを書物にかけるには、帯の下に表紙の一方を通さなければならない。その際、カバーの材料によっては、負荷のかかる部分が切れやすいという課題があった。
【課題を解決するための手段】
【０００５】  上記課題を解決するため、本考案のプラスチックフィルム製のブックカバーは、ポケット部を有する第１端、粘着部を有する第２端、および帯部を備え、帯部がＣＰＰ製であり、第２端を折り返すと粘着部が帯部に粘着する。
【考案の効果】
【０００６】  プラスチックフィルム製のブックカバーの素材として、例えば、ＯＰＰフィルムまたはＣＰＰフィルムを用いることができる。ここで、ＯＰＰフィルムとは、Ｏｒｉｅｎｔｅｄ  Ｐｏｌｙｐｒｏｐｙｌｅｎｅの略で、２軸延伸ポリプロピレンのフィルムを指す。一方、ＣＰＰフィルムとは、Ｃａｓｔ  Ｐｏｌｙｐｒｏｐｙｌｅｎｅの略で、無延伸ポリプロピレンフィルムを指す。【０００７】  ＯＰＰは透明性に優れるため、かけても視認性を低下させないカバーを製造することができる。そのため、ブックカバーの素材として広く用いられている。しかし、切れ目や接合部から裂けやすいという短所があり、負荷のかかる部分が切れやすいという上記課題の原因となっている。【０００８】  一方、ＣＰＰは、切れ目や接合部における引き裂きに強いという長所がある。しかし、透明性においてはＯＰＰに及ばず、ブックカバーの素材としては好まれない。【０００９】  本考案のブックカバーは、本体にはＯＰＰを用い、帯部にはＣＰＰを用いて製造することにより、透明性を低下させずに、負荷がかかる部分が切れるのを防止することができる。
【図面の簡単な説明】
【図１】図１は、本考案のブックカバーを書物に装着する過程を示す図である。
【考案を実施するための形態】
【００１０】  以下、本考案のブックカバーの例について、図に基づいて説明する。
【００１１】  本考案のブックカバーを装着するには、まず、図１（Ａ）のようにブックカバーを広げ、書物の表紙第２端を帯部の下に通し、図１（Ｂ）のように帯と書物ののどが近接するようにスライドさせる。次に、図１（Ｃ）のように、書物の表紙第１端を、ブックカバーの第１端のポケット部に挿入する。そのまま、図１（Ｄ）のように、書物の表紙第１端がポケット部の奥に達するようにスライドさせる。書物の位置をずらさずに、図１（Ｅ）のように、ブックカバーの第２端を書物の表紙第２端に沿って折り返す。最後に、図１（Ｆ）のように、粘着部を帯部上で押圧し、粘着させる。
【００１２】  書物の寸法、厚さには、多様なものが存在する。本考案のブックカバーを用いる書物の例として、新書、文庫本、マンガ、ハードカバー、雑誌、同人誌、楽譜など、様々なものが挙げられるが、これらのいずれにも限定されるものではない。
【００１３】  ブックカバーをこのような構成にすることにより、書物に合わせて折り返しの幅を調整できる。そのため、書物の厚さにかかわらず、ブックカバーをフィットさせることができる。
【００１４】  帯部が十分な幅を有することにより、第２端を折り返した際に、粘着部が帯部に重なる。これにより、書物自体に粘着部を付着させることなく、ブックカバーを固定することができる。
【００１５】  本考案のブックカバーは、帯部がＣＰＰ製であり、他の部分はＯＰＰ製である。これにより、透明性を低下させずに、負荷がかかる部分が切れるのを防止することができる。
【００１６】  本考案の一態様において、ブックカバーは、帯電防止処理が施されている。これにより、保管時に埃等が付着するのを抑制することができる。さらに、書物にブックカバーをかぶせる際に、手にまとわりつかず、作業効率を向上させることができる。
【符号の説明】１  第１端
２  ポケット部
３  第２端
４  粘着部
５  帯部
６  書物
７  書物の表紙第１端
８  書物の表紙第２端
【図１】
0003219078.tif 000003
【手続補正書】
【提出日】平成30年9月25日(2018.9.25)
【手続補正１】
【補正対象書類名】実用新案登録請求の範囲
【補正対象項目名】全文
【補正方法】変更
【補正の内容】
【実用新案登録請求の範囲】
【請求項１】
書物の表紙を覆う本体が、
ポケット部を有する第１端、
前記第１端と対向し粘着部を有する第２端、
および前記第１端と前記第２端の中央より前記第２端寄りに帯部を備え、
前記帯部がＣＰＰ製であり、
前記第２端を折り返すと前記粘着部が前記帯部に粘着する、
プラスチックフィルム製のブックカバー。
【請求項２】
帯電防止処理が施された、請求項１に記載のブックカバー。
(57)【要約】      （修正有）【課題】顕微鏡の左眼光路と右眼光路で光量分配率が異なり、接眼観察用とカメラ撮影用の光量が異なるビームスプリッターを提供する。【解決手段】顕微鏡は左眼用と右眼用の二光路があり、左／右眼光路はどちらでも構わないが、例えば、左眼光路を接眼観察用に５０％、カメラ撮影用に５０％の光量を分光するプリズム１をビームスプリッター内に設置する。この時、右眼光路を接眼観察用に１００％、カメラ撮影用に０％の光量を分光する透明板ガラス２をこのビームスプリッター内に設置する。【選択図】図２
0003219075.tif 000002
【実用新案登録請求の範囲】
【請求項１】
左眼用と右眼用光束では異なる分配率の分光プリズムでもって構成する手術顕微鏡や細隙灯顕微鏡のビームスプリッター。尚、分配率が１００％と０％のプリズムは透明な板ガラスとも呼ぶ。
【考案の詳細な説明】
【技術分野】
【０００１】本考案は、接眼レンズによる観察とビデオあるいはスチルカメラによる撮影の為に光を分割するプリズムを有する、手術顕微鏡や細隙灯顕微鏡のビームスプリッターに関する。
【背景技術】
【０００２】従来、手術顕微鏡や細隙灯顕微鏡は左眼用と右眼用の二光束を持つ。この両眼光束は、ビデオ撮影等の場合に接眼レンズによる観察用とビデオあるいはスチルカメラ撮影用にビームスプリッターで分割する。この光量の分割割合は各々５０％：５０％、７０％：７０％又は８０％：２０％である。このどの割合であっても、左右の両眼光束は二個の同じ分割割合のプリズムを用いる。
【考案の概要】
【考案が解決しようとする課題】
【０００３】従来は左眼と右眼で同一の光量であり、つまり同じ明るさで観察する。しかしながら、被写体からの光量が少ない場合、暗くて観察できないし、そこで逆に観察用に分割量を多くすると、カメラ用の分割量が少なくなり、綺麗な撮影ができない。
【課題を解決するための手段】
【０００４】本件顕微鏡は左眼用と右眼用の二光路がある。左／右眼光路はどちらでも構わないが、例えば、左眼光路を接眼観察用に５０％、カメラ撮影用に５０％の光量を分光するプリズムをビームスプリッター内に設置する。この時、右眼光路を接眼観察用に１００％、カメラ撮影用に０％の光量を分光するプリズム（０％の場合、実際には透明板ガラス）をこのビームスプリッター内に設置する。
【考案の効果】
【０００５】上記［課題を解決するための手段］の場合、顕微鏡観察者の右眼は１００％の全光量、左眼は右眼の半分（５０％）の光量で観察する。この時、右眼光束の半分（５０％）の光量でカメラ撮影をする。
本考案により、顕微鏡観察者は右眼の全光量の明るさで観察しているものと思い込み、カメラ撮影には観察光の半分（５０％）もの光量を使用できる。
従来、顕微鏡観察者は、カメラ撮影の為に観察光の５０％、３０％あるいは２０％を分け与えて、暗い観察を強いられた。本考案は、物が見えるのは目ではなく脳である事に気付き、明るく顕微鏡観察ができ、その上、たっぷりと光をカメラ撮影に提供できる、実用性に優れ、革新的で価値は高い。
【図面の簡単な説明】
【０００６】
【図１】図１は本考案の一例であるビームスプリッターの正面図である。図３の５から来た光は図１の１の分光プリズムで図３の３と４に各々５０％に分光して進む。
【図２】図２は図１のＡで切断した断面図である。
【図３】図３は立面図である。
【考案を実施する為の形態】
【０００７】図１が示すように、左眼光路に接眼観察用に５０％、カメラ撮影用に５０％の分光するプリズムを設置する。右眼光路に接眼観察用途に１００％透過する板ガラス板を設置する。
【実施例】
【０００８】図２が示すように、対物レンズを経過した顕微鏡像は二光路に分かれ、一方は左眼光路を上進し、分光プリズムで更に、接眼観察用に上方に５０％、カメラ撮影用に横方に５０％の光量となって進行。他方は右眼光路を上進し、板ガラスを上方に全光量が進行。これを接眼レンズで観察する。
しかるに、顕微鏡観察者の左眼は右眼に対して、半分の光量で見るから暗く見えている筈だが、脳は同じ明るさの、同じ観察物とみなす。
【産業上の利用可能性】
【０００９】顕微鏡下手術では、照明光量は少ない方が術野の組織損傷は少ない。細隙灯顕微鏡でも、照明光量は少ない方が検眼患者を眩しがらせない。これに反して、記録する撮像素子は４Ｋから８Ｋへと高精細化し、かつそのサイズは更に小型化への道を目指すが、素子感度の低下と言う技術的課題を科す。
本考案は光学機器であるビームスプリッターが上記の相反する課題の解決に良好に貢献する。従来、５０〜８０％の光量でしか観察できなかったものが１００％の全量で観察でき、換言すれば、５０〜２０％の光量を落とすことができる。記録カメラは、従来２０〜５０％の光量を用いらざるをえなかった、本考案の例では、いつでも５０％を使用できる。
【符号の説明】
【００１０】１  分光プリズム
２  板ガラス（１００：０の分光プリズム）
３  接眼レンズ側
４  ビデオアダプター等のアクセサリー接続マウント
５  対物レンズ側
【図１】
0003219075.tif 000003
【図２】
0003219075.tif 000004
【図３】
0003219075.tif 000005
【手続補正書】
【提出日】平成30年9月10日(2018.9.10)
【手続補正１】
【補正対象書類名】実用新案登録請求の範囲
【補正対象項目名】全文
【補正方法】変更
【補正の内容】
【実用新案登録請求の範囲】
【請求項１】
左眼と右眼光路では光量分配率が異なる分光プリズムを組み合わせた手術顕微鏡や細隙灯顕微鏡のビームスプリッター。
【請求項２】
左眼と右眼光路において、どちらか一方に分光プリズムを搭載せず、板ガラス又は何もない、即ち空気が存在するだけで、他方に分光プリズムを設置した手術顕微鏡や細隙灯顕微鏡のビームスプリッター。
(57)【要約】      （修正有）【課題】本来の人の心を失いかけている現在において、少しでも多くの人に本当の人の心を取替えしてもらうために、心のよりどころとなるお守り袋を提供する。【解決手段】お守り袋は、お守り袋に取り付けられた結び紐を備える。お守り袋の中に心のよりどころとなる言葉を記載した守り札を入れる事で心のお守りを構成している。【選択図】図１
0003219072.tif 000002
【実用新案登録請求の範囲】
【請求項１】
袋状のお守り袋と中に入れる守り札で構成される。
【考案の詳細な説明】
【技術分野】
【０００１】  本考案は、お守り袋と守り札に関する。
【背景技術】
【０００２】  本考案は、お守り袋に心のよりどころとなる言葉を記載した守り札を入れる事により構成される。
【考案の概要】
【考案が解決しようとする課題】
【・・・・】
本考案は、本来の人の心を失いかけている現在において、少しでも多くの人に本当の人の心を取替えしてもらうために、心のよりどころとなるお守りを提供する。
【課題を解決するための手段】
【・・・・】
上記目的を達成するために、本考案は袋状のお守り袋と中に入れる守り札で心のお守り袋を構成している。
【図面の簡単な説明】【・・・・】
【図１】  本考案をした形態図（表）である。
【図２】  本考案をした形態図（裏）である。
【図３】  本考案の中に入れる守り札の形態図である。
【図１】
0003219072.tif 000003
【図２】
0003219072.tif 000004
【図３】
0003219072.tif 000005
【手続補正書】
【提出日】平成30年9月5日(2018.9.5)
【手続補正１】
【補正対象書類名】実用新案登録請求の範囲
【補正対象項目名】全文
【補正方法】変更
【補正の内容】
【実用新案登録請求の範囲】
【請求項１】
お守り袋であって、全期お守り袋の中に、心のよりどころとなる言葉を記載した守り札が入れられていることを特徴とするお守り袋。
(57)【要約】      （修正有）【課題】一般家庭向きであって、太陽光が得られなくとも機能する発電システムを提供する。【解決手段】受光部４の近くに、電池式ＬＥＤの発光部２を設け、電池式ＬＥＤの電源スイッチをＯＮにしてＬＥＤ発光面３で発光させて照射角度７段階調整装置で角度を調整し受光部に照射させる。受光部への照射を最高とするために、受光部調整照準ポールで受光面を発光面と略平行になるように調整し、電源供給線１１を介して外部の電気器具１００に電気を供給する。【選択図】図１
0003219076.tif 000002
【実用新案登録請求の範囲】
【請求項１】
受光部を有する発電機と、受光部に光を照射する発光面と、を備え、発光面が略平行になるように配置可能としたこと特徴とする発電システム。
【考案の詳細な説明】
【技術分野】
【０００１】  本考案は、受光部を有する発電機と、受光部に光を照射する発光部とを備える発電システムである。
【背景技術】
【０００２】  太陽光が得られない状態で発電できる火力、水力、原子力発電等あるが一般家庭向きの発電機で、太陽光が得られなくても機能するソーラー発電機は殆んどない。
【考案の概要】
【考案が解決しようとする課題】
【０００３】一般家庭向きであって、太陽光が得られなくても機能する発電システムを提供することを目的とする。
【課題を解決するための手段】
【０００４】  受光部を有する発電機と、受光部に光を照射する発光面を有する発光部とを備え、受光部に対し、発光面が略平行になるように配置可能な発電システム。
【考案の効果】
【０００５】  本考案は、一般家庭向きであって、太陽光が得られなくても機能する発電システムを提供できる。
【図面の簡単な説明】
【０００６】
【図１】本考案のー実施例を示す図である。
【図２】本ソーラー発電機の外観図である。
【図３】発光部を示す図である。
【考案を実施するための形態】
【０００７】  図１は、本考案のー実施例を示す図であり、受光部４を有する発電機１と、電池式ＬＥＤの発光面３を有する発光部２からなる、発電システム１の実施例図である。
【０００８】  図２は、受光部を示す図であり、発電システム１は、設置台９にソーラー組み立て支柱部８を取り付け、支柱部８に受光部４を取り付けて、出力が最高になるように受光部調整照準ポール１０で受光部４と発光部２の発光面３が略平行になるように上下左右に調整する。電源供給線１１は、外部の電気器具１００に接続される。
【０００９】  図３は、発光部を示す図であり、発光部には、照射角度調整装置５と、ＯＮ／ＯＦＦ可能な電源スイッチ６および、電池ボックス７が備えられている。本実施例では照射角度が７段階に調整可能になっており、１３５°の角度で最高の照度に調整することができ、電源スイッチをＯＮにしたとき、発光面から２３０ルーメンの光Ｌを照射する。
【００１０】  本発電システム１で発電された電気は、電源供給線１１を介して、外部の電気器具１００に供給される。本発電システム１によれば、例えば電源もない、光もない状況でも、センサーライト、デジタルカメラ、スマートフォン、ラジオ、扇風機を駆動することが可能となる。
【考案の効果】
【００１１】    １  発電システム
２  発光部
３  発光面
４  受光部
５  照射角度調整装置
６  電源スイッチ
７  電池ボックス
８  ソーラー組み立て支柱部
９  設置台
１０  受光部調整照準ポール
１１  電源供給線
１００  電気器具
Ｌ  光
【図１】
0003219076.tif 000003
【図２】
0003219076.tif 000004
【図３】
0003219076.tif 000005
【手続補正書】
【提出日】平成30年9月7日(2018.9.7)
【手続補正１】
【補正対象書類名】実用新案登録請求の範囲
【補正対象項目名】全文
【補正方法】変更
【補正の内容】
【実用新案登録請求の範囲】
【請求項１】
受光部を有する発電機と、受光部に光を照射する発光部と、を備え、前記受光部は受光部調整照準ポールを備え、前記受光部は設置台に取り付けた支柱部に取り付けられており、前記受光部調整照準ポールで上下左右に調整することにより、前記受光部と前記発光部の発光面が略平行になるように配置したことを特徴とする発電システム。
(57)【要約】      （修正有）【課題】長時間の駐車状態での運転席の夏の直射熱と、冬のフロントガラスへの積雪を防止できる車用の傘を提供する。【解決手段】車用の傘であって、傘部と伸縮ポール部とを備え、ビーチパラソル様式にて熱の遮断を行う。傘部の柄の部分と伸縮ポール部とは、係合用アダプタにより係合され、分離可能となっており、車に搭載できる。【選択図】図２
0003219079.tif 000002
【実用新案登録請求の範囲】
【請求項１】
本考案は傘応用の車専用の傘で夏はフロントガラスの熱遮断と冬はフロントガラスへの積雪防止を特徴とする。
【考案の詳細な説明】
【技術分野】
【０００１】
本考案は傘を応用した車の運転席の夏は遮熱を防止目的の日傘で冬はフロントガラスへの積雪防止目的の車用の傘に関するものである。
【背景技術】
【０００２】
夏の炎天下、屋外に駐車の運転席は長時間放置されるとハンドルにも握れないほど灼熱状態となる。それで、一般に流布している方法は運転席前面に耐熱用のアルミシートでカバー防止している。小型車は取り付け作業は比較的簡単であるが大型用はフロントガラス全体をカバーする作業は面倒である。本考案は小型車から大型車迄利用できる仕様の車向け夏は日傘と利用し冬はフロンガラスへの積雪防止として利用。
【先行技術文献】
【特許文献】
【０００３】
【特許文献１】実用新案登録：実額2018-0013
【考案の概要】
【考案が解決しようとする課題】
【０００４】
ビーチパラソル同様形式で傘に係合したポールは傘と分離可能のアダプタ型は傘とポールを分離、携帯できる機能で車に搭載できる。ポールは伸縮出来、小型車から大型車迄の高さ調整可能である。本考案の設置方法は専用ののぼり台も利用しかも市販のブロックにても固定設置可能の構造。
【課題を解決するための手段】
【０００５】
傘の手元（柄）の部分に伸縮パイプを取り付け可能としたアダプタを係合。
【考案の効果】
【０００６】
傘使用の利点で夏は熱遮断目的、冬はにフロントガラスへの積雪防止を可能とした。
【図面の簡単な説明】
【０００７】
【図１】本考案の概要の斜視図である。
【図２】本考案の使用形態を示した図面代用写真である。
【考案を実施するための形態】
【０００８】
傘を開き、伸縮ポール係合用アダプタに伸縮ポールをを係合しポールを固定し開いた傘を車の前面に設置。
【実施例】
【０００９】
本考案を実施するための実施形態を図２に例にして図面代用写真で示した。
【符号の説明】
【００１０】
1−１石突き、１−２傘の帆１−３親骨１−４中棒１−５アダプタ、傘とポールの係合用１−６傘の柄、１−７取り付け具、傘の柄とポール係合アダプタ用、１−８ポール伸縮調整用留め具１−９伸縮ポール１−１０ポールと傘の支え台、２−１石突き、２−２傘の帆、２−３親骨、２−４中棒２−５アダプタ、傘とポールの係合用２−６傘の柄、２−７取っ付け具、傘の柄とポール係合アダプタ用２−８ポール伸縮貯製留め具
２−９伸縮ポール、２−１０ポールと傘の支え台、２−１１車のフロントガラス、２−１１車
【図１】
0003219079.tif 000003
【図２】
0003219079.tif 000004
【手続補正書】
【提出日】平成30年9月18日(2018.9.18)
【手続補正１】
【補正対象書類名】実用新案登録請求の範囲
【補正対象項目名】全文
【補正方法】変更
【補正の内容】
【実用新案登録請求の範囲】
【請求項１】
夏はフロントガラスの熱遮断を可能とし、冬はフロントガラスへの積雪防止を可能とする、車用の傘であって、傘部
と伸縮ポール部とを備え、前記傘部の柄の部分と前記伸縮ポール部とは、係合用アダプタにより係合され、分離可能
となっており、車に搭載できること特徴とする車用の傘。
(57)【要約】      （修正有）【課題】駐車場の路面に照明機器を組み合わせて、駐車しやすいように駐車場の境界線を照明機器で分かりやすく示し、なおかつ駐車場の雰囲気を明るくできるようにした、照明付き駐車場を提供する。【解決手段】駐車場１と駐車場の路面の境界線に埋設された照明機器２を組み合わせたことを特徴とする。【選択図】図１
0003219077.tif 000002
【実用新案登録請求の範囲】
【請求項１】
駐車場（１）と照明機器（２）を、組み合わせた照明付き駐車場。
【考案の詳細な説明】
【技術分野】
【０００１】  本考案は、駐車場の路面に照明機器を組み合わせて、駐車しやすいように駐車場の境界線を照明機器で分かりやすく示し、なおかつ駐車場の雰囲気を明るくすることができるようにした、照明付き駐車場に関するものである。
【背景技術】
【０００２】  従来、駐車場は夜間になると白線などの境界線がわかりにくかった。また、蓄光し自然発光する白線は提案されていた。
【先行技術文献】
【特許文献】
【０００３】
【特許文献１】特開２００４−２３９０３３
【非特許文献】
【考案の概要】
【考案が解決しようとする課題】
【０００４】  これには、次のような欠点があった。
従来、駐車場は夜間になると白線などの境界線が、わかりにくいので駐車しにくかった。夜間の駐車場は雰囲気もくらかった。また蓄光し自然発光する白線は、少し境界線がわかりにくく雰囲気もくらいままだった。
本考案は、以上のような欠点をなくすために、なされたものである。
【課題を解決するための手段】
【０００５】  駐車場（１）と照明機器（２）を組み合わせる。
本考案は、以上の構成よりなる照明付き駐車場である。
【考案の効果】
【０００６】  蓄光し自然発光する白線よりも、照明の光により駐車場の白線などの境界線がわかりやすいため駐車しやすくなる。
駐車場自体の雰囲気が照明により明るくなるほか、自動車を美しく照らす事ができる。
自動車を照らし駐車場自体の雰囲気も明るくなるため、高級感も演出できる。
【図面の簡単な説明】
【０００７】
【図１】  本考案の分解斜視図である。
【図２】  本考案の斜視図である。
【考案を実施するための形態】
【０００８】  以下、本考案を実施するための形態について説明する。
駐車場（１）の路面に穴を掘り配線工事をして照明機器（２）を組み合わせる。
本考案は、以上のような構造である。
本考案を使用するときは、夜間などの使用したい時にスイッチをオンにし、電源をいれる。
他の実施例を説明する。
照明機器に太陽光発電パネルをつけて、配線工事不要としてもよい。
【符号の説明】
【０００９】  １  駐車場
２  照明機器
【図１】
0003219077.tif 000003
【図２】
0003219077.tif 000004
【手続補正書】
【提出日】平成30年9月7日(2018.9.7)
【手続補正１】
【補正対象書類名】実用新案登録請求の範囲
【補正対象項目名】全文
【補正方法】変更
【補正の内容】
【実用新案登録請求の範囲】
【請求項１】
駐車場（１）と前記駐車場（１）の路面の境界線に埋設された照明機器（２）を、組み合わせた照明付き駐車場。
(57)【要約】      （修正有）【課題】多連のドア及びドア枠のエッジ部分にのみ天然の木目をそのまま露出させることで、美しくて柔らかな質感の外観を創出し、個性的で高級感のあるレスト空間を形成し得るトイレブースを提供する。【解決手段】ドア１及びドア枠２のエッジ部分にのみ、天然木目を露呈させるための木目材３，４が配置される。木目材３，４は単板積層材であって、その積層面が露呈される。木目材３，４には透明又は半透明の塗料が塗布され、必要に応じて塗料の上にワックスが塗布される。ドア１及びドア枠２のパネルは明るい淡色の化粧板５とされる。【選択図】図１
0003219050.tif 000002
【実用新案登録請求の範囲】
【請求項１】
ドア及びドア枠のエッジ部分にのみ、天然木目を露呈させるための木目材が配置されていることを特徴とするトイレブース。
【請求項２】
前記木目材は単板積層材であって、その積層面が露呈される、請求項１に記載のトイレブース。
【請求項３】
前記木目材に透明又は半透明の塗料が塗布される、請求項２に記載のトイレブース。
【請求項４】
前記塗料の上にワックスが塗布される、請求項３に記載のトイレブース。
【請求項５】
前記ドア及びドア枠のパネルは明るい淡色の化粧板である、請求項１乃至３のいずれかに記載のトイレブース。
【考案の詳細な説明】
【技術分野】
【０００１】
本考案はトイレブースに関するものであり、より詳細には、ドア及びドア枠のエッジ部分のみ木目が露出されることで、木の持つ本来の木味がそのまま表れて、高級感のあるレスト空間が創出されるトイレブースに関するものである。
【背景技術】
【０００２】
トイレブースは、トイレの個室空間を形成する間仕切りであり、公共施設、オフィスビル、病院等に設置されるものであり、ドアと、その両側のドア枠と、奥行きパネルとで構成される。そして、多くの場合、ドアとドア枠のエッジ（木口）に、パネル木口を保護するアルミニウム、ステンレス等の金属製フラットエッジ材が取り付けられる。ドア枠は、従来ドアと同じ高さのものが多かったが、最近は、天井に届く高さにされることも多くなってきている。
【０００３】
上記いずれのタイプのトイレブースであっても、ドアとドア枠の金属製エッジ材が露出状態となるが、言うまでもなく、金属製エッジ材は味気なく、冷たい感じのするものであり、美感や柔らかな質感とは程遠いものである。
【先行技術文献】
【特許文献】
【０００４】
【特許文献１】特開２０１１−３６３６８号公報
【考案の概要】
【考案が解決しようとする課題】
【０００５】
上述したように、従来の一般的トイレブースの多くは、ドアとドア枠のエッジ材がアルミニウム、ステンレス等の金属製であるため、味気なく、冷たい感じがし、美感や柔らかな質感とは程遠いものであり、そこからは到底心地よいレスト空間は生まれない。
【０００６】
そこで本考案は、多連のドア及びドア枠のエッジ部分にのみ天然の木目をそのまま露出させることで、美しくて柔らかな質感の外観を創出し、個性的で高級感のあるレスト空間を形成し得るトイレブースを提供することを課題とする。
【課題を解決するための手段】
【０００７】
上記課題を解決するための請求項１に記載の考案は、ドア及びドア枠のエッジ部分にのみ天然木目を露呈させるための木目材が配置されていることを特徴とするトイレブースである。
【０００８】
一実施形態においては、前記木目材は単板積層材であって、その積層面が露呈される。好ましくは、その場合、前記木目に透明又は半透明の塗料が塗布され、必要に応じて更にワックスが塗布される。また、一実施形態においては、前記ドア及びドア枠のパネルは明るい淡色の化粧板とされる。
【考案の効果】
【０００９】
本考案に係るトイレブースは上記構成であって、多連のドア及びドア枠のエッジ部分にのみ天然木目が露呈しているために木目が強調され、その天然木目によって美しくて柔らかな質感の外観となることにより癒し効果が得られ、また、天然素材の芳香が放出され、以て、個性的で高級感のあるレスト空間が形成される効果がある。
【図面の簡単な説明】
【００１０】
【図１】本考案に係るトイレブースの一実施形態の斜視図である。
【図２】本考案に係るトイレブースの一実施形態の部分斜視図である。
【図３】本考案に係るトイレブースの一実施形態の一部省略横断面図である。
【図４】本考案に係るトイレブースに用いられる木目材の例を示す写真である。
【考案を実施するための形態】
【００１１】
以下に、本考案を実施するための形態につき、添付図面に依拠して説明する。図１は、本考案に係るトイレブースの一実施形態の斜視図であり（７連で、すべてのドア1が開いている状態）、そこに示されるように本考案に係るトイレブースは、すべてのドア１及びドア枠２のエッジ部分にのみ天然木目を露呈させるための木目材３，４が配置されていることを特徴とするものである。なお、エッジ部分には図２，３に示されるように木目材３，４が現れるが、図１においては、木目材３，４部分を明確にし且つ強調するために、その部分を編み目で表現してある。
【００１２】
ドア１及びドア枠２は、厚さ１ｍｍのメラミン化粧板５と、補強のためにその内側に積層される厚さ２．５ｍｍのＭＤＦ（中密度繊維板）６から成るパネルと、パネルのエッジに固定される木目材３，４により構成される。あるいは、パネルは、厚さ４ｍｍのＭＤＦに厚さ０．２ｍｍの塩化ビニル等の化粧シートを被装したものであってもよい。パネルは、明るい淡色の化粧板とすることが好ましい。そのようにすることで、一層木目を引き立たせることができ、癒し効果が増長される（図１参照）。
【００１３】
木目材３，４としては、スギ、カラマツ等の天然木材の単板積層材（ＬＶＬ）を好適に用いることができ、その積層状態が現れる積層面が露出するようにして、ドア１及びドア枠２のエッジ部分に固定される。ドア１側の木目材３の露出面は凸曲面に形成され、ドア枠２側の木目材４の露出面は、対応する凹曲面に形成される（図２，３参照）。それらの露出面は、透明又は半透明の樹脂塗料や植物油由来の塗料を塗布することで、木が持つ本来の木味を美しく表現できるようになり、更に艶消しワックスを塗布することで、木の手触り感を生かし、深みのある風合いに仕上げることができる。
【００１４】
本考案に係るトイレブースは、ドア１とドア枠２が同じ高さのタイプのもの、ドア枠２が天井に達するタイプのもの、その他種々のタイプのものに適用可能であることは言うまでもない。
【産業上の利用可能性】
【００１５】
本考案に係るトイレブースは上述したとおりであって、多連のドア及びドア枠のエッジ部分にのみ天然木目が露呈しているために木目が強調され、その天然木目によって美しくて柔らかな質感の外観となることにより癒し効果が得られ、また、天然素材の芳香が放出され、以て、個性的で高級感のあるレスト空間が形成される効果のあるものであり、その産業上の利用可能性は大である。
【符号の説明】
【００１６】
１          ドア
２          ドア枠
３          木目材
４          木目材
５          化粧板
６          ＭＤＦ（中密度繊維板）
【図１】
0003219050.tif 000003
【図２】
0003219050.tif 000004
【図３】
0003219050.tif 000005
【図４】
0003219050.tif 000006
(57)【要約】【課題】三徳包丁の機能とペティナイフの機能を満たす包丁を提供する。【解決手段】切っ先部６から柄までの峰を変化部４で１５０°の角度に切断し、二段峰とする事で細い刃を実現し、ペティナイフの機能を追加。【選択図】図１
0003219083.tif 000002
【実用新案登録請求の範囲】
【請求項１】
三徳包丁の峰を切っ先から１／２程切断し、刃先から峰までの幅を一部分細くして、三徳包丁の機能を残したまま、ペティナイフの機能を追加した二段峰四徳包丁。
【考案の詳細な説明】
【技術分野】
【０００１】本考案は、三徳包丁に、ペティナイフの機能を追加した包丁に関する。
【背景技術】
【０００２】三徳包丁では、ペティナイフの様なデザインカットが難しい。【０００３】一方、ペティナイフでは、三徳包丁の機能が無い。
【考案の概要】
【考案者が解決しようとする課題】
【０００４】本考案は、三徳包丁に、ペティナイフの機能を追加し、使用者に利更性を提供する事を目的とする。
【課題を解決するための手段】
【０００５】上記目的を達成するため、切っ先から刃元までの１／２程の長さの峰部分を切断した。
【考案の効果】
【０００６】本考案の包丁を用いて、果物の芯のくり抜き動作や、側面にＶ字の連続刺突動作による、ジグザグ上下２分割を実現。
【図面の簡単な説明】
【０００７】
【図１】本考案に係る包丁の実施形能を示す刃部の側面図である。
【考案を実施するための形態】
【０００８】本考案の実施形態について図面を参照して説明する。
図１に本考案に係る実施形態を示す。
図１において、１は刃部である。刃元部２を介して、図示しない柄部に連続される。
この実施形能においては、切っ先部６から変化部４までを第１峰部５とする。また、変化部４から柄部までを第２峰部３とする。また、変化部４と各峰３と５の角度は１５０°とする。また、７は角を丸め指当たりを良くする。
【符号の説明】
【０００９】１、刃部
２、刃元部
３、第２峰部
４、変化部
５、第１峰部
６、切っ先部
７、角丸部
【図１】
0003219083.tif 000003
(57)【要約】      （修正有）【課題】ティの折れ破損、刺し難さ、およびボール保持の不安定を解消できるゴルフのティを提供する。【解決手段】切り込みの入った軍配状の薄板２枚の各切り込みを向かい合わせて組み立てる。【選択図】図１
0003219057.tif 000002
【実用新案登録請求の範囲】
【請求項１】
板状物品２枚を組み合わせて立体として作り出される
ゴルフボールを空間に静止させるティと呼ばれる台
【考案の詳細な説明】
【技術分野】
【０００１】本考案は、樹脂板または木板を組み合わせたティに関するものである。
【背景技術】
【０００２】ゴルフのティは、片端を円錐状に尖らせ、片端を広げた筒状の造形である。
【考案の概要】
【考案が解決しようとする課題】
【０００３】円錐状の片端を地面に突き刺し固定する為、使用時折れてしまう。
加えて地面が硬い冬場等は突き刺すのに難儀する。
広げた逆端は、小さく、ボール保持が不安定である。
よって、突き刺す構造ではなく、安定保持確保を課題とする。
【課題を解決するための手段】
【０００４】現場で組み立てる薄板２枚の造形物を地面に置く構造とする。
【考案の効果】
【０００５】置く構造により、折れることは無くなり、硬い地面にも対応できる。
組み立てる構造により、ボール保持部を拡大でき、安定する。
【図面の簡単な説明】
【０００６】
【図１】本考案の実施例を示す部品図と組み立て図である。
【考案を実施するための形態】
【０００７】切り込みの入った軍配形状の薄板（樹脂または木）２枚を用意する。
ティアップ直前、２枚の切り込みを向かい合わせで組み立てる。
地面に組み立てたティを置き、その上にボールを乗せる。
そのボールをクラブヘッドフェースで引っ叩く。（よいスコアが出る。）
【実施例】
【０００８】バルサ１ｍｍ板をレーザーカット機でａおよびｂ形状に切る。
ゴルフ場に携帯し、組み立てて、使用する。使用後解体し収納する。
ａおよびｂは同一形状でも可。安価である
【符号の説明】
【０００９】  ａ  組み立て前の部品その１
ｂ  組み立て前の部品その２
ｃ  ゴルフボール
組ａ  組み立て後の部品その１
組ｂ  組み立て後の部品その２
【図１】
0003219057.tif 000003
【手続補正書】
【提出日】平成30年6月22日(2018.6.22)
【手続補正１】
【補正対象書類名】実用新案登録請求の範囲
【補正対象項目名】全文
【補正方法】変更
【補正の内容】
【実用新案登録請求の範囲】
【請求項１】
軍配状の薄板２枚を各切り込みを向かい合わせて組み立てたゴルフのティ。
【手続補正書】
【提出日】平成30年8月10日(2018.8.10)
【手続補正１】
【補正対象書類名】実用新案登録請求の範囲
【補正対象項目名】全文
【補正方法】変更
【補正の内容】
【実用新案登録請求の範囲】
【請求項１】
切り込みの入った軍配状の薄板２枚の各切り込みを向かい合わせて組み立てたゴルフのティ。
(57)【要約】      （修正有）【課題】介護人が同時に２名の要介護人の対応をすることを可能にし、かつ、直接のコミュニケーションがとれ安全面と省力化を図ることができる介護用三角テーブルを提供する。【解決手段】テーブルの甲板形状を正三角形に設定したうえで、３つの頂点の角をそれぞれ等寸法でカットし６辺から成り立つ三角形状とする。三角形状の甲板に対し、脚はそれぞれカットした３辺の外側近くに設置する３本脚とする。【選択図】図１
0003219052.tif 000002
【実用新案登録請求の範囲】
【請求項１】
介護用テーブルに於いて三角形状にすることにより、介護人が要介護人を自身の視野の範囲内で２名の要介護人に対応することができる三角テーブルである。
【請求項２】
三角形状の天板に対し、三本脚を設置することにより従来の四角形テーブルに於ける四本脚よりもさらに床テーブルのガタつきに対応する。
【請求項３】
三角形状により、上の請求項目を損ねることなく、様々で多様な配置ができ、また連続配置が可能である。
【考案の詳細な説明】
【技術分野】
【０００１】本考案は、介護をするにあたり要介護人と介護人がテーブルを使用した際、介護人が三角形状の視野の範囲内で体や首を動かさずに容易に食事その他の介護を行えることに関するものである。これにより介護人の負担を減らし、双方のコミュニケーションの向上を図ることができる。また、三角形状に三本の脚が付くため四本脚に比べ安定性が増し複数の配置や、移動した際に『ガタツキ』を抑えることができる。そしてこの形状により複数設置する際に変化に富んだ配置が可能になり、様々な用途への対応を図れるものである。
【従来技術】
【０００２】従来の介護に於けるテーブルの形状は四角形を中心とした形状のものが多く、その場合に介護人が一人で二人の要介護人と接する際、一人の要介護人の介護を行う際に、もう一人の要介護人の様子を知ることができない。そして四本脚のため床の不陸に十分に対応することができず、ガタツキの発生の原因となる。また連続配置する際にこれらの問題点が解決されることが無い。
【背景技術】
【０００３】高齢化時代が進むにつれ要介護の方も増加し、介護に於ける省力化や安全性の向上が要求される中、現在多く使用されている四角形のテーブルに於いて、介護人の要介護人への対応は個別にならざるを得ず、同時に介護をすることが難しい。その中でこの三角テーブル介護用を使用することにより、介護人の要介護人への対応の省力化、目を離すことのない安全性の向上を図ることができる。
また複数設置により介護用としてのテーブルの特性以上に、変化に富んだ用途の使用を可能とすることができる。
【考案が解決しようとする課題】
【０００４】上記の従来技術においては［図３］の仕様のものに関しては、介護人に相対する要介護人への対応のみになり、もう一人の要介護人への対応が疎かになってしまう。
【０００５】上記に続き、［図３］の仕様のものに関しては、要介護人に対し介護人はテーブル越しの対応となり、咄嗟の対応や近しいコミュニケーションを取ることが極めて困難である。
【０００６】また、［図４］及び［図５］にあるように正三角形の特性を活かし、先考案の機能を損ねることなく、大人数への対応を可能にし、また様々な用途に対応することができる。
【課題を解決するための手段】
【０００７】本考案の三角テーブル  介護用においては、要介護人が介護人に対して安全かつ同時対応という省力化を可能にするために［図２］の正三角形の形状にし、角を落とし鈍角になるため安全性、利便性の向上を可能にするものである。そして［図１］にある通り三本脚設計にすることでガタツキを抑える。また、この形状にすることにより［図４］や［図５］の連続配置により本考案の機能を損ねることなく、大多数の使用及び様々な用途に対応することを可能にしている。
【考案の効果】
【０００８】以上説明したように本考案によれば、正三角形状のテーブル形状により介護人の要介護人への対応の省力化、目を離すことのない安全性の向上を図ることができる。
【考案を実施するための最良の形態】
【０００９】以下、本考案を実施するための最良の形態について説明する。【００１０】［図１］にある様に正三角形状にし、その角を鈍角に落とすことで本考案の機能が発揮される。
【図面の簡単な説明】
【００１１】
【図１】本考案全体  外観斜視図
【図２】本考案全体  平面図
【図３】一般的な従来既製品四角形テーブル  平面図
【図４】本考案全体  連続配置図−１  平面図
【図５】本考案全体  連続配置図−２  平面図
【符号の説明】
【００１２】１  介護人      ２  要介護人
【図１】
0003219052.tif 000003
【図２】
0003219052.tif 000004
【図３】
0003219052.tif 000005
【図４】
0003219052.tif 000006
【図５】
0003219052.tif 000007
【手続補正書】
【提出日】平成30年4月5日(2018.4.5)
【手続補正１】
【補正対象書類名】実用新案登録請求の範囲
【補正対象項目名】全文
【補正方法】変更
【補正の内容】
【実用新案登録請求の範囲】
【請求項１】
テーブルの甲板形状を正三角形に設定したうえで、３つの頂点の角をそれぞれ等寸法でカットし６辺から成り立つ三角形状を特徴とする「介護用三角テーブル」。
【請求項２】
三角形状の甲板に対し、脚はそれぞれカットした３辺の外側近くに設置する３本脚を特徴とした「介護用三角テーブル」。
【手続補正書】
【提出日】平成30年7月27日(2018.7.27)
【手続補正１】
【補正対象書類名】実用新案登録請求の範囲
【補正対象項目名】全文
【補正方法】変更
【補正の内容】
【実用新案登録請求の範囲】
【請求項１】
テーブルの甲板形状を正三角形に設定したうえで、３つの頂点の角をそれぞれ等寸法でカットし６辺から成り立つ三角形状を特徴とする「介護用三角テーブル」。
【請求項２】
三角形状の甲板に対し、脚はそれぞれカットした３辺の外側近くに設置する３本脚を特徴とする請求項１に記載の「介護用三角テーブル」。